(57)【要約】【課題】  減衰帯域幅を広げ、広帯域にわたりフィルタ効果を得ることが可能な積層型フィルタ及び積層型フィルタアレイを提供すること。【解決手段】  積層型フィルタＦ１は、コイルを含むコイル部１０、コンデンサを含むコンデンサ部２０及び導体部３０を備える。コイルは、導体パターン１１ａ〜１６ａが形成された複数の非磁性体グリーンシート１１〜１６が積層されることにより構成される。コンデンサは、コンデンサ電極２１ａ〜２３ａが形成された複数の非磁性体グリーンシート２１〜２３が積層されることにより構成される。導体部３０は、導体パターン３１ａ，３２ａが形成された複数の非磁性体グリーンシート３１，３２を有し、当該非磁性体グリーンシート３１，３２が積層されることにより構成される。コイルと導体部３０の導体パターン３１ａ，３２ａとの間で浮遊容量が発生する。【選択図】  図２
2005229434.tif 000002
【特許請求の範囲】
【請求項１】
導体パターンが形成された複数の絶縁体が積層されることによって構成されるコイルを含むコイル部と、コンデンサ電極が形成された複数の絶縁体が積層されることによって構成されるコンデンサを含むコンデンサ部と、前記コイルとの間で浮遊容量を発生させる導体部と、が積層されていることを特徴とする積層型フィルタ。
【請求項２】
前記導体部は、前記コイル部と前記コンデンサ部との間に配置されると共に、前記コイルの両端部のいずれか一方に電気的に接続される導体パターンが形成された絶縁体を有していることを特徴とする請求項１に記載の積層型フィルタ。
【請求項３】
前記導体部の前記導体パターンは、前記コイル部の前記導体パターンに沿うように形成されていること特徴とする請求項２に記載の積層型フィルタ。
【請求項４】
前記絶縁体は、非磁性体で形成されていることを特徴とする請求項２又は請求項３に記載の積層型フィルタ。
【請求項５】
前記コイル部及び前記導体部の前記絶縁体は、磁性体で形成されていることを特徴とする請求項２又は請求項３に記載の積層型フィルタ。
【請求項６】
前記コイルと前記コンデンサとで、Ｌ型回路、Ｔ型回路あるいはπ型回路を構成することを特徴とする請求項１〜請求項５のいずれか一項に記載の積層型フィルタ。
【請求項７】
複数の導体パターンがそれぞれ形成された複数の絶縁体が積層されることによって構成される複数のコイルを含むコイル部と、前記各コイルに対応するコンデンサ電極が形成された複数の絶縁体が積層されることによって構成される複数のコンデンサを含むコンデンサ部と、前記各コイルとの間で浮遊容量を発生させる導体部と、が積層されていることを特徴とする積層型フィルタアレイ。
【請求項８】
前記導体部は、前記コイル部と前記コンデンサ部との間に配置されると共に、前記各コイルにそれぞれ対応する複数の導体パターンが形成された絶縁体を有しており、
前記導体部の前記各導体パターンは、対応する前記コイルの両端部のいずれか一方に電気的に接続されていることを特徴とする請求項７に記載の積層型フィルタアレイ。
【請求項９】
前記導体部の前記各導体パターンは、対応する前記コイル部の前記各導体パターンに沿うように形成されていること特徴とする請求項８に記載の積層型フィルタアレイ。
【請求項１０】
前記絶縁体は、非磁性体で形成されていることを特徴とする請求項８又は請求項９に記載の積層型フィルタアレイ。
【請求項１１】
前記コイル部及び前記導体部の前記絶縁体は、磁性体で形成されていることを特徴とする請求項８又は請求項９に記載の積層型フィルタアレイ。
【請求項１２】
前記各コイルと当該各コイルに対応する前記各コンデンサとで、Ｌ型回路、Ｔ型回路あるいはπ型回路を構成することを特徴とする請求項７〜請求項１１のいずれか一項に記載の積層型フィルタアレイ。
【発明の詳細な説明】
【技術分野】
【０００１】
本発明は、積層型フィルタ及び積層型フィルタアレイに関する。
【背景技術】
【０００２】
この種の積層型フィルタとして、導体パターンが形成された複数の絶縁体が積層されることによって構成されたコイル部と、コンデンサ電極が形成された複数の絶縁体が積層されることによって構成されたコンデンサ部と、が積層されたものが知られている（例えば、特許文献１参照）。また、積層型フィルタアレイとして、複数の導体パターンがそれぞれ形成された複数の絶縁体が積層されることによって構成されたコイル部と、各導体パターンに対応するコンデンサ電極が形成された複数の絶縁体が積層されることによって構成されたコンデンサ部と、が積層されたものが知られている（例えば、特許文献２参照）。
【特許文献１】特開２００３−６９３５８号公報
【特許文献２】特開２００３−５１７２９号公報
【発明の開示】
【発明が解決しようとする課題】
【０００３】
昨今の電子機器においては、処理の高速化や、扱う信号の高周波化に伴って、ノイズの周波数帯域が広帯域化している。このため、従来の積層型フィルタ（積層型フィルタアレイ）では、フィルタとしてのノイズ除去機能を十分に得ることが難しくなりつつある。
【０００４】
本発明は、上記事情に鑑み、減衰帯域幅を広げ、広帯域にわたりフィルタ効果を得ることが可能な積層型フィルタ及び積層型フィルタアレイを提供することを目的とする。
【課題を解決するための手段】
【０００５】
本発明に係る積層型フィルタは、導体パターンが形成された複数の絶縁体が積層されることによって構成されるコイルを含むコイル部と、コンデンサ電極が形成された複数の絶縁体が積層されることによって構成されるコンデンサを含むコンデンサ部と、コイルとの間で浮遊容量を発生させる導体部と、が積層されていることを特徴とする。
【０００６】
本発明に係る積層型フィルタでは、コイルと導体部との間で浮遊容量が発生する。このため、減衰特性は、コンデンサのキャパシタンスとコイルのインダクタンスとで決まる共振周波数において減衰ピークを有すると共に、コンデンサ及び浮遊容量の合成キャパシタンスとコイルのインダクタンスとで決まる共振周波数において減衰ピークを有することとなる。この結果、減衰帯域幅が広がり、広帯域にわたりフィルタ効果を得ることができる。
【０００７】
また、上記導体部は、コイル部とコンデンサ部との間に配置されると共に、コイルの両端部のいずれか一方に電気的に接続される導体パターンが形成された絶縁体を有していることが好ましい。このように構成した場合、コイルとの間で浮遊容量を適切に発生させ得る構成の導体部を簡易且つ低コストにて実現することができる。
【０００８】
また、導体部の導体パターンは、コイル部の導体パターンに沿うように形成されていることが好ましい。このように構成した場合、導体部の導体パターンとコイル部の導体パターンとを共用することが可能となる。このため、導体部の導体パターンを新たに設計する必要がなく、設計コストの上昇を抑制することができる。また、コイル部の導体パターンを形成する工程を用いて、導体部の導体パターンを形成することができ、製造コストの上昇も抑制することができる。これらの結果、より一層安価な積層型フィルタを実現することができる。
【０００９】
本発明に係る積層型フィルタアレイは、複数の導体パターンがそれぞれ形成された複数の絶縁体が積層されることによって構成される複数のコイルを含むコイル部と、各コイルに対応するコンデンサ電極が形成された複数の絶縁体が積層されることによって構成される複数のコンデンサを含むコンデンサ部と、各コイルとの間で浮遊容量を発生させる導体部と、が積層されていることを特徴とする。
【００１０】
本発明に係る積層型フィルタアレイでは、コイル部の各導体パターンと導体部とのそれぞれの間で浮遊容量が発生する。このため、各コイルと当該各コイルに対応する各コンデンサとで構成されるフィルタの減衰特性は、コンデンサのキャパシタンスとコイルのインダクタンスとで決まる共振周波数において減衰ピークを有すると共に、コンデンサ及び浮遊容量の合成キャパシタンスとコイルのインダクタンスとで決まる共振周波数において減衰ピークを有することとなる。この結果、減衰帯域幅が広がり、広帯域にわたりフィルタ効果を得ることができる。
【００１１】
また、上記導体部は、コイル部とコンデンサ部との間に配置されると共に、各コイルにそれぞれ対応する複数の導体パターンが形成された絶縁体を有しており、導体部の各導体パターンは、対応するコイルの両端部のいずれか一方に電気的に接続されていることが好ましい。このように構成した場合、各コイルとの間で浮遊容量を適切に発生させ得る構成の導体部を簡易且つ低コストにて実現することができる。
【００１２】
また、導体部の各導体パターンは、対応するコイル部の各導体パターンに沿うように形成されていることが好ましい。このように構成した場合、導体部の導体パターンとコイル部の導体パターンとを共用することが可能となる。このため、導体部の導体パターンを新たに設計する必要がなく、設計コストの上昇を抑制することができる。また、コイル部の導体パターンを形成する工程を用いて、導体部の導体パターンを形成することができ、製造コストの上昇も抑制することができる。これらの結果、より一層安価な積層型フィルタアレイを実現することができる。
【００１３】
また、絶縁体は、非磁性体で形成されていることが好ましい。このように構成した場合、コンデンサのキャパシタンスとコイルのインダクタンスとで決まる共振周波数を高周波側に設定することが可能となり、より高帯域のノイズを除去することができる。
【００１４】
また、コイル部及び導体部の絶縁体は、磁性体で形成されていることが好ましい。このように構成した場合、コンデンサのキャパシタンスとコイルのインダクタンスとで決まる共振周波数を低周波側に設定することが可能となり、より低帯域のノイズを除去することができる。
【発明の効果】
【００１５】
本発明によれば、減衰帯域幅を広げ、広帯域にわたりフィルタ効果を得ることが可能な積層型フィルタ及び積層型フィルタアレイを提供することができる。
【発明を実施するための最良の形態】
【００１６】
本発明の実施形態に係る積層型フィルタ及び積層型フィルタアレイについて図面を参照して説明する。なお、説明において、同一要素又は同一機能を有する要素には、同一符号を用いることとし、重複する説明は省略する。また、説明中、「上」及び「下」なる語を使用することがあるが、これは各図の上下方向に対応したものである。
【００１７】
（第１実施形態）
図１は、第１実施形態に係る積層型フィルタを示す斜視図である。図２は、第１実施形態に係る積層型フィルタの断面構成を説明するための概略図である。図３は、第１実施形態に係る積層型フィルタを示す分解斜視図である。図４は、第１実施形態に係る積層型フィルタの等価回路を説明するための図である。本第１実施形態は、本発明をＬ型の積層型３端子フィルタに適用したものである。
【００１８】
積層型フィルタＦ１は、図１に示されるように、素子１の長手方向の両端部に形成された一対の入出力電極３，５と、同じく素子１の側面に形成されたグランド電極７とを備えている。なお、素子１の底面は、積層型フィルタＦ１が外部基板（図示せず）に実装されたときに、当該外部基板に対向する面である。
【００１９】
積層型フィルタＦ１は、図２及び図３に示されるように、コイルＬを含むコイル部１０、コンデンサＣを含むコンデンサ部２０、及び導体部３０を備えている。これらコイル部１０、コンデンサ部２０、及び導体部３０が積層されることにより直方体形状の素子（積層体）１が構成されることとなる。導体部３０は、コイル部１０とコンデンサ部２０との間に位置する。
【００２０】
コイルＬは、導体パターン１１ａ〜１６ａが形成された複数（本実施形態においては、６層）の非磁性体グリーンシート（絶縁体）１１〜１６が積層されることにより構成される。導体パターン１１ａは、非磁性体グリーンシート１１の縁部に引き出され、非磁性体グリーンシート１１の端面に露出している。導体パターン１２ａ〜１５ａは、コイルＬの略１ターン分に相当し、非磁性体グリーンシート１２〜１５上で略Ｃ字状に巻き回されている。導体パターン１６ａは、非磁性体グリーンシート１６の縁部に引き出され、非磁性体グリーンシート１６の端面に露出している。導体パターン１１ａ〜１６ａは、その端部同士が非磁性体グリーンシート１１〜１５にそれぞれ形成された貫通電極１１ｂ〜１５ｂにより電気的に接続される。導体パターン１１ａ〜１６ａは、相互に電気的に接続されることで、コイルＬを構成することとなる。
【００２１】
導体パターン１１ａは、コイルＬの一方の端部に位置することとなる。コイルＬの一方の端部（導体パターン１１ａ）は、素子１の縁部まで引き出されており、一方の入出力電極３に電気的に接続される。導体パターン１６ａは、コイルＬの他方の端部に位置することとなる。コイルＬの他方の端部（導体パターン１６ａ）は、素子１の縁部まで引き出されており、他方の入出力電極５に電気的に接続される。
【００２２】
コンデンサＣは、コンデンサ電極２１ａ〜２３ａが形成された複数（本実施形態においては、３層）の非磁性体グリーンシート（絶縁体）２１〜２３が積層されることにより構成される。コンデンサ電極２１ａ，２３ａは、素子１の側面を構成する非磁性体グリーンシート２１，２３の端面にそれぞれ露出する一対の導出部２１ｂ，２３ｂを含んでおり、非磁性体グリーンシート２１，２３上で略矩形状に形成されている。コンデンサ電極２２ａは、一端が非磁性体グリーンシート２２の端面に露出する導出部２２ｂを含んでおり、非磁性体グリーンシート２２上で略矩形状に形成されている。コンデンサ電極２１ａ〜２３ａと、これらの間に位置する非磁性体グリーンシート２１，２２と、非磁性体グリーンシート２３とが、コンデンサＣを構成することとなる。
【００２３】
コンデンサ電極２１ａ，２３ａの導出部２１ｂ，２３ｂは、グランド電極７に電気的に接続される。コンデンサ電極２２ａの導出部２２ｂは、一方の入出力電極３に電気的に接続される。これにより、コンデンサ電極２２ａは、コイルＬの一方の端部（導体パターン１１ａ）に電気的に接続されることとなる。本実施形態においては、コンデンサ電極２２ａは信号用の電極とされ、コンデンサ電極２１ａ，２３ａは接地用の電極とされる。
【００２４】
導体部３０は、導体パターン３１ａ，３２ａが形成された複数（本実施形態においては、２層）の非磁性体グリーンシート（絶縁体）３１，３２を有し、当該非磁性体グリーンシート３１，３２が積層されることにより構成される。導体部３０は、非磁性体グリーンシート３１が非磁性体グリーンシート１６と重なり合うように、コイル部１０に積層されている。
【００２５】
導体パターン３１ａは、非磁性体グリーンシート３１の縁部に引き出され、非磁性体グリーンシート３１の端面に露出している。導体パターン３２ａは、コイルＬの略１ターン分に相当し、非磁性体グリーンシート３２上で略Ｃ字状に巻き回されている。導体パターン３１ａは、導体パターン１１ａに沿うように形成されており、当該導体パターン１１ａと同じ形状を呈している。導体パターン３２ａは、導体パターン１２ａ〜１５ａに沿うように形成されており、導体パターン１２ａ，１４ａと同じ形状を呈している。導体パターン３１ａ，３２ａは、その端部同士が非磁性体グリーンシート３１に形成された貫通電極３１ｂにより電気的に接続される。
【００２６】
導体パターン３１ａは、一方の入出力電極３に電気的に接続される。これにより、導体パターン３１ａは、コイルＬの一方の端部（導体パターン１１ａ）に電気的に接続されることとなる。
【００２７】
コンデンサ部２０（非磁性体グリーンシート２１）と導体部３０（非磁性体グリーンシート３２）との間には、コンデンサ電極２１ａと導体パターン３２ａとの間の距離を調整するための非磁性体グリーンシート４１が積層されている。コイル部１０（非磁性体グリーンシート１１）の上部には、導体パターン１１ａを保護するためのベース層とされる非磁性体グリーンシート４２が積層されている。非磁性体グリーンシート４１，４２は、電気絶縁性も有している。
【００２８】
非磁性体グリーンシート１１〜１６，３１，３２，４１，４２は、例えばＦｅ２Ｏ３、ＺｎＯ及びＣｕＯの混合粉を原料としたスラリーをフィルム上にドクターブレード法により塗布して形成したものを用いることができる。非磁性体グリーンシート２１〜２３は、例えばＴｉＯ２、ＣｕＯ及びＮｉＯの混合粉を原料としたスラリーをフィルム上にドクターブレード法により塗布して形成したものを用いることができる。非磁性体グリーンシート１１〜１６，２１〜２３，３１，３２，４１，４２の厚みは、例えば１８μｍ程度である。
【００２９】
導体パターン１１ａ〜１６ａ，３１ａ，３２ａとコンデンサ電極２１ａ〜２３ａとは、例えば、銀を主成分とする導体ペーストをスクリーン印刷した後、乾燥することによって形成される。
【００３０】
素子１は、導体パターン１１ａ〜１６ａ，３１ａ，３２ａが形成された非磁性体グリーンシート１１〜１６，３１，３２と、コンデンサ電極２１ａ〜２３ａが形成された非磁性体グリーンシート２１〜２３と、非磁性体グリーンシート４１，４２とを、図３に示されるように積層して圧着し、チップ単位に切断した後に所定温度（例えば、８００〜９００℃）にて焼成することにより、得られる。素子１は、例えば、焼成後における長手方向の長さが１．０ｍｍ程度、幅と高さが０．５ｍｍ程度となるようにする。
【００３１】
入出力電極３，５及びグランド電極７は、上述するように得られた素子１の外面に銀を主成分とする電極ペーストを転写した後に所定温度（例えば、７００℃程度）にて焼き付け、更に電気めっきを施すことにより、形成される。電気めっきには、ＣｕとＮｉとＳｎ、ＮｉとＳｎ、ＮｉとＡｕ、ＮｉとＰｄとＡｕ、ＮｉとＰｄとＡｇ、又は、ＮｉとＡｇ等を用いることができる。
【００３２】
導体パターン１１ａ〜１６ａ，３１ａ，３２ａの焼成後における幅は、例えば７０μ程度に設定される。導体パターン１１ａ〜１６ａ，３１ａ，３２ａの焼成後における厚みは、例えば１２μ程度に設定される。コンデンサ電極２１ａ〜２３ａの焼成後における厚みは、例えば６μｍ程度に設定される。
【００３３】
上述した構成の積層型フィルタＦ１においては、図４に示されるように、コイルＬとコンデンサＣとでＬ型回路を構成している。このとき、コイルＬと導体部３０の導体パターン３１ａ，３２ａとの間で浮遊容量Ｃｓが発生する。
【００３４】
以上のように、本第１実施形態においては、コイルＬと導体部３０（導体パターン３１ａ，３２ａ）との間で浮遊容量Ｃｓが発生する。このため、積層型フィルタＦ１の減衰特性は、コンデンサＣのキャパシタンスとコイルＬのインダクタンスとで決まる共振周波数において減衰ピークを有すると共に、コンデンサＣ及び浮遊容量Ｃｓの合成キャパシタンスとコイルＬのインダクタンスとで決まる共振周波数において減衰ピークを有することとなる。この結果、減衰帯域幅が広がり、広帯域にわたりフィルタ効果を得ることができる。
【００３５】
また、本第１実施形態において、導体部３０は、コイル部１０とコンデンサ部２０との間に配置されると共に、コイルＬの一方の端部に電気的に接続される導体パターン３１ａ，３２ａが形成された非磁性体グリーンシート３１，３２を有している。これにより、コイルＬとの間で浮遊容量Ｃｓを適切に発生させ得る構成の導体部３０を簡易且つ低コストにて実現することができる。
【００３６】
また、本第１実施形態において、導体部３０の導体パターン３１ａ，３２ａは、コイル部１０の導体パターン１１ａ〜１５ａに沿うように形成されている。これにより、導体部３０の導体パターン３１ａ，３２ａとコイル部１０の導体パターン１１ａ〜１５ａとを共用することが可能となる。このため、導体部３０の導体パターン３１ａ，３２ａを新たに設計する必要がなく、設計コストの上昇を抑制することができる。また、コイル部１０の導体パターン１１ａ〜１５ａを形成する工程を用いて、導体部３０の導体パターン３１ａ，３２ａを形成することができ、製造コストの上昇も抑制することができる。これらの結果、より一層安価な積層型フィルタＦ１を実現することができる。
【００３７】
また、本第１実施形態においては、絶縁体として非磁性体グリーンシート１１〜１６，２１〜２３，３１，３２を用いている。これにより、コンデンサＣのキャパシタンスとコイルＬのインダクタンスとで決まる共振周波数を高周波側に設定することが可能となり、より高帯域のノイズを除去することができる。
【００３８】
なお、本第１実施形態において、コイル部１０及び導体部３０の絶縁体は、磁性体で形成してもよい。この場合、コンデンサＣのキャパシタンスとコイルＬのインダクタンスとで決まる共振周波数を低周波側に設定することが可能となり、より低帯域のノイズを除去することができる。コイル部１０及び導体部３０の絶縁体としては、非磁性体グリーンシート１１〜１６，３１，３２の代わりに、磁性体グリーンシートを用いることができる。磁性体グリーンシートは、例えばフェライト（例えば、Ｎｉ−Ｃｕ−Ｚｎ系フェライト、Ｎｉ−Ｃｕ−Ｚｎ−Ｍｇ系フェライト、Ｃｕ−Ｚｎ系フェライト、又は、Ｎｉ−Ｃｕ系フェライト等）粉末の磁性体粉末をバインダーで結着させてシート状に形成したものが用いられる。
【００３９】
また、導体部３０の導体パターン３１ａを導体パターン１６ａに沿うように形成し、導体パターン３１ａを他方の入出力電極５に電気的に接続するように構成してもよい。
【００４０】
また、コンデンサ電極２２ａの導出部２２ｂは、他方の入出力電極５に電気的に接続されていてもよい。この場合、積層型フィルタＦ１は、図５に示される等価回路を構成することとなる。もちろん、コイルＬと導体部３０の導体パターン３１ａ，３２ａとの間で浮遊容量Ｃｓが発生する。
【００４１】
（第２実施形態）
図６は、第２実施形態に係る積層型フィルタアレイを示す斜視図である。図７は、第２実施形態に係る積層型フィルタアレイを示す分解斜視図である。図８は、第２実施形態に係る積層型フィルタアレイに含まれるコイル部を示す分解斜視図である。図９は、第２実施形態に係る積層型フィルタアレイに含まれる導体部を示す分解斜視図である。図１０は、第２実施形態に係る積層型フィルタアレイの等価回路を説明するための図である。本第２実施形態は、本発明をＬ型の積層型３端子フィルタアレイに適用したものである。
【００４２】
積層型フィルタアレイＦ２は、図６に示されるように、素子５１の一方の側面に形成された複数（本実施形態においては、４個）の入出力電極３と、素子５１の他方の側面に形成された複数（本実施形態においては、４個）の入出力電極５と、素子５１の長手方向の両端部に形成された一対のグランド電極７とを備えている。
【００４３】
積層型フィルタアレイＦ２は、図７に示されるように、複数のコイルＬを含むコイル部１０、複数のコンデンサＣを含むコンデンサ部２０、及び導体部３０を備えている。これらコイル部１０、コンデンサ部２０、及び導体部３０が積層されることにより直方体形状の素子（積層体）５１が構成されることとなる。
【００４４】
各コイルＬは、図８にも示されるように、複数（本実施形態においては、４個）の導体パターン１１ａ〜１１ａ，…，１６ａ〜１６ａがそれぞれ形成された複数の非磁性体グリーンシート１１〜１６が積層されることにより構成される。各導体パターン１１ａは、互いに所定の間隔を有した状態で、素子５１の長手方向に併設されている。導体パターン１１ａ同士は、電気的に絶縁されている。各導体パターン１２ａ〜１５ａは、導体パターン１１ａと同じく、互いに所定の間隔を有した状態で、素子５１の長手方向に併設されている。導体パターン１２ａ〜１５ａ同士は、電気的に絶縁されている。各導体パターン１６ａは、導体パターン１１ａ〜１５ａと同じく互いに所定の間隔を有した状態で、素子５１の長手方向に併設されている。導体パターン１６ａ同士は、電気的に絶縁されている。各導体パターン１１ａ〜１６ａは、貫通電極１１ｂ〜１５ｂによって相互に電気的に接続されることで、各コイルＬを構成する。本実施形態では、コイル部１０内に、４個のコイルＬが併設されることとなる。
【００４５】
各コンデンサＣは、図７に示されるように、各コイルＬに対応するコンデンサ電極６１ａ〜６８ａが形成された複数（本実施形態においては、８層）の非磁性体グリーンシート（絶縁体）６１〜６８が積層されることにより構成される。各コンデンサ電極６１ａ，６３ａ，６５ａ，６７ａは、非磁性体グリーンシート６１，６３，６５，６７の端面にそれぞれ露出する一対の導出部６１ｂ，６３ｂ，６５ｂ，６７ｂを含んでおり、各非磁性体グリーンシート６１，６３，６５，６７上で略矩形状に形成されている。各コンデンサ電極６２ａ，６４ａ，６６ａ，６８ａは、素子５１の側面を構成する非磁性体グリーンシート６２，６４，６６，６８の端面に露出する導出部６２ｂ，６４ｂ，６６ｂ，６８ｂを含んでおり、各非磁性体グリーンシート６２，６４，６６，６８上で略矩形状に形成されている。各導出部６２ｂ，６４ｂ，６６ｂ，６８ｂは、素子５１の長手方向にずれて配置されている。
【００４６】
コンデンサ電極６１ａ，６２ａと、これらの間に位置する非磁性体グリーンシート６１とが、１個のコンデンサＣを構成する。コンデンサ電極６３ａ，６４ａと、これらの間に位置する非磁性体グリーンシート６３とが、１個のコンデンサＣを構成する。コンデンサ電極６５ａ，６６ａと、これらの間に位置する非磁性体グリーンシート６５とが、１個のコンデンサＣを構成する。コンデンサ電極６７ａ，６８ａと、これらの間に位置する非磁性体グリーンシート６７とが、１個のコンデンサＣを構成する。本実施形態では、コンデンサ部２０内に、４個のコンデンサＣが積層方向に併設されることとなる。
【００４７】
コンデンサ電極６１ａ，６３ａ，６５ａ，６７ａの導出部６１ｂ，６３ｂ，６５ｂ，６７ｂは、グランド電極７に電気的に接続される。コンデンサ電極６２ａ，６４ａ，６６ａ，６８ａの導出部６２ｂ，６４ｂ，６６ｂ，６８ｂは、一方の入出力電極３に電気的に接続される。これにより、コンデンサ電極６２ａ，６４ａ，６６ａ，６８ａは、対応するコイルＬの一方の端部（導体パターン１１ａ）に電気的に接続されることとなる。本実施形態においては、コンデンサ電極６２ｂ，６４ｂ，６６ｂ，６８ｂは信号用の電極とされ、コンデンサ電極６１ａ，６３ａ，６５ａ，６７ａは接地用の電極とされる。
【００４８】
導体部３０は、図９にも示されるように、複数（本実施形態においては、４個）の導体パターン３１ａ〜３１ａ，３２ａ〜３２ａが形成された複数の非磁性体グリーンシート３１，３２を有し、当該非磁性体グリーンシート３１，３２が積層されることにより構成される。各導体パターン３１ａは、互いに所定の間隔を有した状態で、素子５１の長手方向に併設されている。導体パターン３１ａ同士は、電気的に絶縁されている。各導体パターン３２ａは、導体パターン３１ａと同じく、互いに所定の間隔を有した状態で、素子５１の長手方向に併設されている。導体パターン３２ａ同士は、電気的に絶縁されている。各導体パターン３１ａは、対応するコイルＬの一方の端部（導体パターン１１ａ）に電気的に接続される。
【００４９】
非磁性体グリーンシート６１〜６８は、非磁性体グリーンシート２１〜２３と同じく、例えばＴｉＯ２、ＣｕＯ及びＮｉＯの混合粉を原料としたスラリーをフィルム上にドクターブレード法により塗布して形成したものを用いることができる。非磁性体グリーンシート６１〜６８の厚みは、例えば１８μｍ程度である。
【００５０】
コンデンサ電極６１ａ〜６８ａは、コンデンサ電極２１ａ〜２３ａと同じく、例えば、銀を主成分とする導体ペーストをスクリーン印刷した後、乾燥することによって形成される。
【００５１】
素子５１は、導体パターン１１ａ〜１６ａ，３１ａ，３２ａが形成された非磁性体グリーンシート１１〜１６，３１，３２と、コンデンサ電極６１ａ〜６８ａが形成された非磁性体グリーンシート６１〜６８と、非磁性体グリーンシート４１，４２とを、図７に示されるように積層して圧着し、チップ単位に切断した後に所定温度（例えば、８００〜９００℃）にて焼成することにより、得られる。素子５１は、例えば、焼成後における長手方向の長さが２．０ｍｍ程度、幅が１．０ｍｍ程度、高さが０．５ｍｍ程度となるようにする。
【００５２】
上述した構成の積層型フィルタアレイＦ２においては、図１０に示されるように、各コイルＬと、当該各コイルＬに対応する各コンデンサＣとでＬ型回路を構成している。このとき、各コイルＬと導体部３０の各導体パターン３１ａ，３２ａとの間で浮遊容量Ｃｓがそれぞれ発生する。
【００５３】
以上のように、本第２実施形態においては、コイル部１０の各導体パターン１１ａ〜１５ａと導体部３０（導体パターン３１ａ，３２ａ）とのそれぞれの間で浮遊容量Ｃｓが発生する。このため、各コイルＬと当該各コイルＬに対応する各コンデンサＣとで構成される積層型フィルタアレイＦ２の減衰特性は、コンデンサＣのキャパシタンスとコイルＬのインダクタンスとで決まる共振周波数において減衰ピークを有すると共に、コンデンサＣ及び浮遊容量Ｃｓの合成キャパシタンスとコイルＬのインダクタンスとで決まる共振周波数において減衰ピークを有することとなる。この結果、減衰帯域幅が広がり、広帯域にわたりフィルタ効果を得ることができる。
【００５４】
また、本第２実施形態において、導体部３０は、各コイルＬにそれぞれ対応する複数の導体パターン３１ａ，３２ａが形成された非磁性体グリーンシート３１，３２を有しており、導体部３０の各導体パターン３１ａ，３２ａは、対応するコイルＬの一方の端部（導体パターン１１ａ）に電気的に接続されている。これにより、各コイルＬとの間で浮遊容量Ｃｓを適切に発生させ得る構成の導体部３０を簡易且つ低コストにて実現することができる。
【００５５】
また、本第２実施形態において、導体部３０の各導体パターン３１ａ，３２ａは、第１実施形態と同じく、対応するコイル部１０の各導体パターン１１ａ〜１５ａに沿うように形成されている。これにより、導体部３０の導体パターン３１ａ，３２ａとコイル部１０の導体パターン１１ａ〜１５ａとを共用することが可能となる。このため、導体部３０の導体パターン３１ａ，３２ａを新たに設計する必要がなく、設計コストの上昇を抑制することができる。また、コイル部１０の導体パターン１１ａ〜１５ａを形成する工程を用いて、導体部３０の導体パターン３１ａ，３２ａを形成することができ、製造コストの上昇も抑制することができる。これらの結果、より一層安価な積層型フィルタアレイＦ２を実現することができる。
【００５６】
（第３実施形態）
図１１は、第３実施形態に係る積層型フィルタアレイを示す分解斜視図である。図１２及び図１３は、第３実施形態に係る積層型フィルタアレイに含まれるコイル部を示す分解斜視図である。図１４は、第３実施形態に係る積層型フィルタアレイに含まれるコンデンサ部を示す分解斜視図である。図１５は、第３実施形態に係る積層型フィルタアレイの等価回路を説明するための図である。本第３実施形態は、本発明をＴ型の積層型３端子フィルタアレイに適用したものである。
【００５７】
積層型フィルタアレイＦ３は、図１１に示されるように、複数のコイルＬを含む一対のコイル部１０Ａ，１０Ｂ、複数のコンデンサＣを含むコンデンサ部２０、及び導体部３０を備えている。これらコイル部１０Ａ，１０Ｂ、コンデンサ部２０、及び導体部３０が積層されることにより直方体形状の素子（積層体）が構成されることとなる。コンデンサ部２０は、コイル部１０Ａとコイル部１０Ｂとの間に位置する。導体部３０は、コイル部１０Ａとコンデンサ部２０との間に位置する。なお、積層型フィルタアレイＦ３は、図１５にも示されるように、積層型フィルタアレイＦ２と同じく、素子の一方の側面に形成された４個の入出力電極３と、素子の他方の側面に形成された４個の入出力電極５と、素子の長手方向の両端部に形成された一対のグランド電極７とを備えている。
【００５８】
一方のコイル部１０Ａの各コイルＬは、図１２にも示されるように、複数（本実施形態においては、４個）の導体パターン７１ａ〜７１ａ，…，７６ａ〜７６ａがそれぞれ形成された複数の非磁性体グリーンシート７１〜７６が積層されることにより構成される。コイルＬは、導体パターン７１ａ〜７６ａが形成された複数（本実施形態においては、６層）の非磁性体グリーンシート（絶縁体）７１〜７６が積層されることにより構成される。
【００５９】
各導体パターン７１ａは、非磁性体グリーンシート７１の縁部に引き出され、非磁性体グリーンシート７１の端面に露出している。各導体パターン７１ａは、互いに所定の間隔を有した状態で、素子の長手方向に併設されている。導体パターン７１ａ同士は、電気的に絶縁されている。各導体パターン７２ａ〜７５ａは、非磁性体グリーンシート７２〜７５上で略Ｃ字状に巻き回されている。各導体パターン７２ａ〜７５ａは、導体パターン７１ａと同じく、互いに所定の間隔を有した状態で、素子の長手方向に併設されている。導体パターン７２ａ〜７５ａ同士は、電気的に絶縁されている。各導体パターン７６ａは、非磁性体グリーンシート７６上で、導体パターン７１ａ〜７５ａと同じく互いに所定の間隔を有した状態で、素子の長手方向に併設されている。導体パターン７６ａ同士は、電気的に絶縁されている。
【００６０】
各導体パターン７１ａ〜７６ａは、その端部同士が非磁性体グリーンシート７１〜７５にそれぞれ形成された貫通電極７１ｂ〜７５ｂにより電気的に接続される。各導体パターン７１ａ〜７６ａは、相互に電気的に接続されることで、各コイルＬを構成することとなる。本実施形態では、コイル部１０Ａ内に、４個のコイルＬが併設されることとなる。
【００６１】
他方のコイル部１０Ｂの各コイルＬは、図１３にも示されるように、複数（本実施形態においては、４個）の導体パターン８１ａ〜８１ａ，…，８７ａ〜８７ａがそれぞれ形成された複数の非磁性体グリーンシート８１〜８７が積層されることにより構成される。コイルＬは、導体パターン８１ａ〜８７ａが形成された複数（本実施形態においては、７層）の非磁性体グリーンシート（絶縁体）８１〜８７が積層されることにより構成される。
【００６２】
各導体パターン８１ａは、非磁性体グリーンシート８１の縁部に引き出され、非磁性体グリーンシート８１の端面（各導体パターン７１ａが露出する端面と反対側の端面）に露出している。各導体パターン８１ａは、互いに所定の間隔を有した状態で、素子の長手方向に併設されている。導体パターン８１ａ同士は、電気的に絶縁されている。各導体パターン８２ａ〜８６ａは、非磁性体グリーンシート８２〜８６上で略Ｃ字状に巻き回されている。各導体パターン８２ａ〜８６ａは、導体パターン８１ａと同じく、互いに所定の間隔を有した状態で、素子の長手方向に併設されている。導体パターン８２ａ〜８６ａ同士は、電気的に絶縁されている。各導体パターン８７ａは、非磁性体グリーンシート８７上で、導体パターン８１ａ〜８６ａと同じく互いに所定の間隔を有した状態で、素子の長手方向に併設されている。導体パターン８７ａ同士は、電気的に絶縁されている。
【００６３】
各導体パターン８１ａ〜８７ａは、その端部同士が非磁性体グリーンシート８１〜８６にそれぞれ形成された貫通電極８１ｂ〜８６ｂにより電気的に接続される。各導体パターン８１ａ〜８７ａは、相互に電気的に接続されることで、各コイルＬを構成することとなる。本実施形態では、コイル部１０Ｂ内に、４個のコイルＬが併設されることとなる。
【００６４】
各コンデンサＣは、図１４にも示されるように、各コイルＬに対応するコンデンサ電極９１ａ〜９８ａが形成された複数（本実施形態においては、８層）の非磁性体グリーンシート（絶縁体）９１〜９８が積層されることにより構成される。各コンデンサ電極９１ａ，９３ａ，９５ａ，９７ａは、非磁性体グリーンシート９１，９３，９５，９７の端面にそれぞれ露出する一対の導出部９１ｂ，９３ｂ，９５ｂ，９７ｂを含んでおり、各非磁性体グリーンシート９１，９３，９５，９７上で略矩形状に形成されている。各コンデンサ電極９２ａ，９４ａ，９６ａ，９８ａは、導出部９２ｂ，９４ｂ，９６ｂ，９８ｂを含んでおり、各非磁性体グリーンシート９２，９４，９６，９８上で略矩形状に形成されている。各導出部９２ｂ，９４ｂ，９６ｂ，９８ｂは、素子の長手方向にずれて配置されている。
【００６５】
コンデンサ電極９１ａ，９２ａと、これらの間に位置する非磁性体グリーンシート９１とが、１個のコンデンサＣを構成する。コンデンサ電極９３ａ，９４ａと、これらの間に位置する非磁性体グリーンシート９３とが、１個のコンデンサＣを構成する。コンデンサ電極９５ａ，９６ａと、これらの間に位置する非磁性体グリーンシート９５とが、１個のコンデンサＣを構成する。コンデンサ電極９７ａ，９８ａと、これらの間に位置する非磁性体グリーンシート９７とが、１個のコンデンサＣを構成する。本実施形態では、コンデンサ部２０内に、４個のコンデンサＣが積層方向に併設されることとなる。
【００６６】
各導体パターン７１ａは、コイルＬの一方の端部に位置することとなる。コイルＬの一方の端部（導体パターン７１ａ）は、一方の入出力電極３に電気的に接続される。各導体パターン８１ａは、コイルＬの他方の端部に位置することとなる。コイルＬの他方の端部（導体パターン８１ａ）は、他方の入出力電極５に電気的に接続される。
【００６７】
コンデンサ電極９１ａ，９３ａ，９５ａ，９７ａの導出部９１ｂ，９３ｂ，９５ｂ，９７ｂは、グランド電極７に電気的に接続される。コンデンサ電極９２ａ，９４ａ，９６ａ，９８ａの導出部９２ｂ，９４ｂ，９６ｂ，９８ｂは、非磁性体グリーンシート３１，３２，４１，７６，９１〜９８にそれぞれ形成された貫通電極３１ｃ，３２ｂ，４１ａ，７６ｂ，９１ｃ〜９８ｃにより、対応する導体パターン７６ａ及び導体パターン８７ａに電気的に接続される。これにより、コンデンサ電極９２ａ，９４ａ，９６ａ，９８ａは、コイル部１０Ａの対応するコイルＬの他方の端部（導体パターン７６ａ）に電気的に接続され、コイル部１０Ｂの対応するコイルＬの一方の端部（導体パターン８７ａ）に電気的に接続されることとなる。本実施形態においては、コンデンサ電極９２ｂ，９４ｂ，９６ｂ，９８ｂは信号用の電極とされ、コンデンサ電極９１ａ，９３ａ，９５ａ，９７ａは接地用の電極とされる。
【００６８】
非磁性体グリーンシート７１〜７６，８１〜８７は、非磁性体グリーンシート１１〜１６，３１，３２，４１，４２と同じく、例えばＦｅ２Ｏ３、ＺｎＯ及びＣｕＯの混合粉を原料としたスラリーをフィルム上にドクターブレード法により塗布して形成したものを用いることができる。非磁性体グリーンシート９１〜９８は、非磁性体グリーンシート２１〜２３，６１〜６８と同じく、例えばＴｉＯ２、ＣｕＯ及びＮｉＯの混合粉を原料としたスラリーをフィルム上にドクターブレード法により塗布して形成したものを用いることができる。非磁性体グリーンシート７１〜７６，８１〜８７，９１〜９８の厚みは、例えば１８μｍ程度である。
【００６９】
コイル部１０Ａ，１０Ｂ及び導体部３０の絶縁体としては、非磁性体グリーンシート７１〜７６，８１〜８７，３１，３２の代わりに、磁性体グリーンシートを用いることができる。磁性体グリーンシートは、例えばフェライト（例えば、Ｎｉ−Ｃｕ−Ｚｎ系フェライト、Ｎｉ−Ｃｕ−Ｚｎ−Ｍｇ系フェライト、Ｃｕ−Ｚｎ系フェライト、又は、Ｎｉ−Ｃｕ系フェライト等）粉末の磁性体粉末をバインダーで結着させてシート状に形成したものが用いられる。
【００７０】
導体パターン７１ａ〜７６ａ，８１ａ〜８７ａとコンデンサ電極９１ａ〜９８ａとは、導体パターン１１ａ〜１６ａ，３１ａ，３２ａ及びコンデンサ電極２１ａ〜２３ａ，６１ａ〜６８ａと同じく、例えば、銀を主成分とする導体ペーストをスクリーン印刷した後、乾燥することによって形成される。
【００７１】
素子は、導体パターン７１ａ〜７６ａ，８１ａ〜８７ａ，３１ａ，３２ａが形成された非磁性体グリーンシート７１〜７６，８１〜８７，３１，３２と、コンデンサ電極９１ａ〜９８ａが形成された非磁性体グリーンシート９１〜９８と、非磁性体グリーンシート４１，４２とを、図１１に示されるように積層して圧着し、チップ単位に切断した後に所定温度（例えば、８００〜９００℃）にて焼成することにより、得られる。素子は、例えば、焼成後における長手方向の長さが２．０ｍｍ程度、幅が１．０ｍｍ程度、高さが０．５ｍｍ程度となるようにする。
【００７２】
上述した構成の積層型フィルタアレイＦ３においては、図１５に示されるように、各コイルＬと、当該各コイルＬに対応する各コンデンサＣとでＴ型回路を構成している。このとき、コイル部１０Ａの各コイルＬと導体部３０の各導体パターン３１ａ，３２ａとの間で浮遊容量Ｃｓがそれぞれ発生する。
【００７３】
以上のように、本第３実施形態においては、コイル部１０Ａの各導体パターン７１ａ〜７５ａと導体部３０（導体パターン３１ａ，３２ａ）とのそれぞれの間で浮遊容量Ｃｓが発生する。このため、第２実施形態と同じく、減衰帯域幅が広がり、広帯域にわたりフィルタ効果を得ることができる。
【００７４】
また、本第３実施形態において、導体部３０の各導体パターン３１ａ，３２ａは、第２実施形態と同じく、対応するコイル部１０Ａの各導体パターン７１ａ〜７５ａに沿うように形成されている。このため、より一層安価な積層型フィルタアレイＦ３を実現することができる。
【００７５】
（第４実施形態）
図１６は、第４実施形態に係る積層型フィルタアレイを示す分解斜視図である。図１７は、第４実施形態に係る積層型フィルタアレイに含まれるコイル部を示す分解斜視図である。図１８は、第４実施形態に係る積層型フィルタアレイの等価回路を説明するための図である。本第４実施形態は、本発明をπ型の積層型３端子フィルタアレイに適用したものである。
【００７６】
積層型フィルタアレイＦ４は、図１６に示されるように、複数のコイルＬを含むコイル部１０、複数のコンデンサＣを含む一対のコンデンサ部２０Ａ，２０Ｂ、及び導体部３０を備えている。これらコイル部１０、コンデンサ部２０Ａ，２０Ｂ、及び導体部３０が積層されることにより直方体形状の素子（積層体）が構成されることとなる。コイル部１０は、コンデンサ部２０Ａとコンデンサ部２０Ｂとの間に位置する。導体部３０は、コイル部１０とコンデンサ部２０Ｂとの間に位置する。なお、積層型フィルタアレイＦ４は、図１８にも示されるように、積層型フィルタアレイＦ２，Ｆ３と同じく、素子の一方の側面に形成された４個の入出力電極３と、素子の他方の側面に形成された４個の入出力電極５と、素子の長手方向の両端部に形成された一対のグランド電極７とを備えている。
【００７７】
各コイルＬは、図１７にも示されるように、複数（本実施形態においては、４個）の導体パターン１１ａ〜１１ａ，…，１６ａ〜１６ａがそれぞれ形成された複数の非磁性体グリーンシート１１〜１６が積層されることにより構成される。各導体パターン１１ａ〜１６ａは、貫通電極１１ｂ〜１５ｂにより相互に電気的に接続されることで、各コイルＬを構成する。本実施形態では、コイル部１０内に、４個のコイルＬが併設されることとなる。      
【００７８】
一方のコンデンサ部２０Ａの各コンデンサＣは、図１６に示されるように、第２実施形態におけるコンデンサ部２０と同じく、各コイルＬに対応するコンデンサ電極６１ａ〜６８ａが形成された複数の非磁性体グリーンシート６１〜６８が積層されることにより構成される。
【００７９】
他方のコンデンサ部２０Ｂの各コンデンサＣは、図１６に示されるように、各コイルＬに対応するコンデンサ電極１０１ａ〜１０８ａが形成された複数（本実施形態においては、８層）の非磁性体グリーンシート（絶縁体）１０１〜１０８が積層されることにより構成される。各コンデンサ電極１０２ａ，１０４ａ，１０６ａ，１０８ａは、素子の側面を構成する非磁性体グリーンシート１０２，１０４，１０６，１０８の端面（導出部６２ｂ，６４ｂ，６６ｂ，６８ｂが露出する端面とは反対側の端面）に露出する導出部１０２ｂ，１０４ｂ，１０６ｂ，１０８ｂを含んでおり、各非磁性体グリーンシート１０２，１０４，１０６，１０８上で略矩形状に形成されている。各導出部１０２ｂ，１０４ｂ，１０６ｂ，１０８ｂは、素子の長手方向にずれて配置されている。各コンデンサ電極１０１ａ，１０３ａ，１０５ａ，１０７ａは、非磁性体グリーンシート１０１，１０３，１０５，１０７の端面にそれぞれ露出する一対の導出部１０１ｂ，１０３ｂ，１０５ｂ，１０７ｂを含んでおり、各非磁性体グリーンシート１０１，１０３，１０５，１０７上で略矩形状に形成されている。
【００８０】
コンデンサ電極１０１ａ，１０２ａと、これらの間に位置する非磁性体グリーンシート１０１とが、１個のコンデンサＣを構成する。コンデンサ電極１０３ａ，１０４ａと、これらの間に位置する非磁性体グリーンシート１０３とが、１個のコンデンサＣを構成する。コンデンサ電極１０５ａ，１０６ａと、これらの間に位置する非磁性体グリーンシート１０５とが、１個のコンデンサＣを構成する。コンデンサ電極１０７ａ，１０８ａと、これらの間に位置する非磁性体グリーンシート１０７とが、１個のコンデンサＣを構成する。本実施形態では、コンデンサ部２０Ｂ内に、４個のコンデンサＣが積層方向に併設されることとなる。
【００８１】
コンデンサ電極１０１ａ，１０３ａ，１０５ａ，１０７ａの導出部１０１ｂ，１０３ｂ，１０５ｂ，１０７ｂは、グランド電極７に電気的に接続される。コンデンサ電極１０２ａ，１０４ａ，１０６ａ，１０８ａの導出部１０２ｂ，１０４ｂ，１０６ｂ，１０８ｂは、他方の入出力電極５に電気的に接続される。これにより、コンデンサ電極１０２ａ，１０４ａ，１０６ａ，１０８ａは、対応するコイルＬの他方の端部（導体パターン１６ａ）に電気的に接続されることとなる。本実施形態においては、コンデンサ電極１０２ａ，１０４ａ，１０６ａ，１０８ａは信号用の電極とされ、コンデンサ電極１０１ａ，１０３ａ，１０５ａ，１０７ａは接地用の電極とされる。
【００８２】
非磁性体グリーンシート１０１〜１０８は、非磁性体グリーンシート２１〜２３，６１〜６８，９１〜９８と同じく、例えばＴｉＯ２、ＣｕＯ及びＮｉＯの混合粉を原料としたスラリーをフィルム上にドクターブレード法により塗布して形成したものを用いることができる。非磁性体グリーンシート１０１〜１０８の厚みは、例えば１８μｍ程度である。
【００８３】
コンデンサ電極１０１ａ〜１０８ａは、コンデンサ電極２１ａ〜２３ａ，６１ａ〜６８ａ，９１ａ〜９８ａと同じく、例えば、銀を主成分とする導体ペーストをスクリーン印刷した後、乾燥することによって形成される。
【００８４】
素子は、導体パターン１１ａ〜１６ａ，３１ａ，３２ａが形成された非磁性体グリーンシート１１〜１６，３１，３２と、コンデンサ電極６１ａ〜６８ａ，１０１ａ〜１０８ａが形成された非磁性体グリーンシート６１〜６８，１０１〜１０８と、非磁性体グリーンシート４１，４２とを、図１６に示されるように、積層して圧着し、チップ単位に切断した後に所定温度（例えば、８００〜９００℃）にて焼成することにより、得られる。素子は、例えば、焼成後における長手方向の長さが２．０ｍｍ程度、幅が１．０ｍｍ程度、高さが０．５ｍｍ程度となるようにする。
【００８５】
積層型フィルタアレイＦ４においては、図１８に示されるように、各コイルＬと、当該各コイルＬに対応する各コンデンサＣとでπ型回路を構成している。このとき、コイル部１０の各コイルＬと導体部３０の各導体パターン３１ａ，３２ａとの間で浮遊容量Ｃｓがそれぞれ発生する。
【００８６】
以上のように、本第４実施形態においては、コイル部１０の各導体パターン１１ａ〜１５ａと導体部３０（導体パターン３１ａ，３２ａ）とのそれぞれの間で浮遊容量Ｃｓが発生する。このため、第２及び第３実施形態と同じく、減衰帯域幅が広がり、広帯域にわたりフィルタ効果を得ることができる。
【００８７】
ここで、本実施形態によって、減衰帯域幅が広がり、広帯域にわたりフィルタ効果を得ることができることを、実施例及び比較例によって、具体的に示す。実施例及び比較例では、周波数特性として挿入損失特性を求めている。
【００８８】
実施例では、第１実施形態の積層型フィルタＦ１と同じ構成の積層型フィルタを用いた。比較例では、導体部３０を備えていない点を除いて上述した積層型フィルタＦ１と同じ構成の積層型フィルタを用いた。実施例及び比較例のいずれの積層型フィルタも、カットオフ周波数が１００ＭＨｚとなるように設計されている。
【００８９】
実施例及び比較例の積層型フィルタの挿入損失特性を、図１９に示す。実線ＩＬ１は実施例の積層型フィルタの挿入損失特性を示しており、破線ＩＬ２は、比較例の積層型フィルタの挿入損失特性を示している。減衰帯域、例えば−３０ｄＢ減衰を保持する周波数帯域は、実施例の積層型フィルタでは１３００〜２６００ＭＨｚであるのに対し、比較例の積層型フィルタでは７００〜２５００ＭＨｚである。実施例の積層型フィルタの減衰特性は、コンデンサＣのキャパシタンスとコイルＬのインダクタンスとで決まる共振周波数において第１の減衰ピークＰ１を有すると共に、コンデンサＣ及び浮遊容量Ｃｓの合成キャパシタンスとコイルＬのインダクタンスとで決まる共振周波数において第２の減衰ピークＰ２を有している。以上のことから、本実施形態の有効性が確認された。
【００９０】
本発明は、上述した実施形態に限定されるものではない。例えば、第２〜第４実施形態の積層型フィルタアレイＦ２〜Ｆ４は、コイルＬ及びコンデンサＣを含むフィルタを４組備える構成としているが、これに限られることなく、３組以下のフィルタを備える構成としてもよく、また、５組以上のフィルタを備える構成としてもよい。
【００９１】
また、積層型フィルタＦ１及び積層型フィルタアレイＦ２〜Ｆ４におけるコイルＬのインダクタンスは、導体パターン１１ａ〜１６ａ，３１ａ，３２ａ，７１ａ〜７６ａ，８１ａ〜８７ａの幅や層数等によって調整可能であり、上述した実施形態に限られるものではない。また、積層型フィルタＦ１及び積層型フィルタアレイＦ２〜Ｆ４におけるコンデンサＣのキャパシタンスは、コンデンサ電極２１ａ〜２３ａ，６１ａ〜６８ａ，９１ａ〜９８ａ，１０１ａ〜１０８ａの面積や層数等によって調整可能であり、上述した実施形態に限られるものではない。
【００９２】
また、第１〜第４実施形態においては、グリーンシートを積層すること（グリーンシート積層工法）により素子１，５１を構成しているが、これに限られることなく、非磁性体スラリーを用い、当該非磁性体スラリー、導体パターン１１ａ〜１６ａ，３１ａ，３２ａ，７１ａ〜７６ａ，８１ａ〜８７ａ及びコンデンサ電極２１ａ〜２３ａ，６１ａ〜６８ａ，９１ａ〜９８ａ，１０１ａ〜１０８ａを印刷して積層すること（印刷積層工法）により素子１，５１を構成するようにしてもよい。
【００９３】
第１実施形態においては、本発明をＬ型の積層型３端子フィルタに適用しているが、これに限られることなく、本発明をＴ型、π型、又はダブルπ型の積層型３端子フィルタに適用してもよい。また、第２〜第４実施形態においては、本発明をＬ型、Ｔ型、π型の積層型３端子フィルタアレイにそれぞれ適用しているが、これに限られることなく、本発明をダブルπ型の積層型３端子フィルタアレイに適用してもよい。なお、コイル部１０，１０Ａ，１０ＢのコイルＬのＱ（quality factor）は、図２０に示されるように、３以上が好ましく、更に好ましくは５以上である。これにより、フィルタ効果を確実に得ることができる。
【図面の簡単な説明】
【００９４】
【図１】第１実施形態に係る積層型フィルタを示す斜視図である。
【図２】第１実施形態に係る積層型フィルタの断面構成を説明するための概略図である。
【図３】第１実施形態に係る積層型フィルタを示す分解斜視図である。
【図４】第１実施形態に係る積層型フィルタの等価回路を説明するための図である。
【図５】第１実施形態に係る積層型フィルタの変形例の等価回路を説明するための図である。
【図６】第２実施形態に係る積層型フィルタアレイを示す斜視図である。
【図７】第２実施形態に係る積層型フィルタアレイを示す分解斜視図である。
【図８】第２実施形態に係る積層型フィルタアレイに含まれるコイル部を示す分解斜視図である。
【図９】第２実施形態に係る積層型フィルタアレイに含まれる導体部を示す分解斜視図である。
【図１０】第２実施形態に係る積層型フィルタアレイの等価回路を説明するための図である。
【図１１】第３実施形態に係る積層型フィルタアレイを示す分解斜視図である。
【図１２】第３実施形態に係る積層型フィルタアレイに含まれるコイル部を示す分解斜視図である。
【図１３】第３実施形態に係る積層型フィルタアレイに含まれるコイル部を示す分解斜視図である。
【図１４】第３実施形態に係る積層型フィルタアレイに含まれるコンデンサ部を示す分解斜視図である。
【図１５】第３実施形態に係る積層型フィルタアレイの等価回路を説明するための図である。
【図１６】第４実施形態に係る積層型フィルタアレイを示す分解斜視図である。
【図１７】第４実施形態に係る積層型フィルタアレイに含まれるコイル部を示す分解斜視図である。
【図１８】第４実施形態に係る積層型フィルタアレイの等価回路を説明するための図である。
【図１９】積層型フィルタの挿入損失特性を示す線図である。
【図２０】コイルのＱ（quality factor）の特性を示す線図である。
【符号の説明】
【００９５】
１０，１０Ａ，１０Ｂ…コイル部、１１〜１６，２１〜２３，３１，３２，４１，４２，６１〜６８，７１〜７６，８１〜８７，９１〜９８，１０１〜１０８…非磁性体グリーンシート、１１ａ〜１６ａ，３１ａ，３２ａ，７１ａ〜７６ａ，８１ａ〜８７ａ…導体パターン、２０，２０Ａ，２０Ｂ…コンデンサ部、２１ａ〜２３ａ，６１ａ〜６８ａ，９１ａ〜９８ａ，１０１ａ〜１０８ａ…コンデンサ電極、３０…導体部、Ｃ…コンデンサ、Ｃｓ…浮遊容量、Ｆ１…積層型フィルタ、Ｆ２，Ｆ３，Ｆ４…積層型フィルタアレイ、Ｌ…コイル。
【図１】
2005229434.tif 000003
【図２】
2005229434.tif 000004
【図３】
2005229434.tif 000005
【図４】
2005229434.tif 000006
【図５】
2005229434.tif 000007
【図６】
2005229434.tif 000008
【図７】
2005229434.tif 000009
【図８】
2005229434.tif 000010
【図９】
2005229434.tif 000011
【図１０】
2005229434.tif 000012
【図１１】
2005229434.tif 000013
【図１２】
2005229434.tif 000014
【図１３】
2005229434.tif 000015
【図１４】
2005229434.tif 000016
【図１５】
2005229434.tif 000017
【図１６】
2005229434.tif 000018
【図１７】
2005229434.tif 000019
【図１８】
2005229434.tif 000020
【図１９】
2005229434.tif 000021
【図２０】
2005229434.tif 000022